Podtech/llm-jp-corpus-v4-ja_patent huggingface dataset:
(57)【要約】      （修正有）【課題】一枚の紙等のシート材から構成されたホルダー付の組立卓上カレンダーを提供する。【解決手段】一枚のシート材１を設け、該シート材１の片面に、一年の各月ごとのカレンダーを表示する月カレンダー部２の半分の月カレンダー部２を６ケ所に印刷し、この印刷された月カレンダー部２と同一箇所のシート材１の他の片面に、残り半分の月カレンダー部２′を印刷し、あるいは、片面にのみ１２ケ月分の月カレンダー部２を印刷し、前記シート材１の残余の部分に、これらカレンダーを差し込み保持するためのホルダー３を一体に印刷し、これら、カレンダー部２，２′の周囲には、シート材１から抜き取るための切り取り線４をそれぞれに入れ、ホルダー３にも、必要な切り取り線４ａを入れ、組立可能とした。【選択図】図２
0003151549.tif 000002
【実用新案登録請求の範囲】
【請求項１】
一枚のシート材（１）を設け、該シート材（１）の片面、あるいは両面に、一年の各月ごとのカレンダーを表示する月カレンダー部（２）を印刷し、前記シート材（１）の残余の部分に、これらカレンダーを差し込み保持するためのホルダー（３）を一体に印刷し、これら、カレンダー部（２）、ホルダー（３）の周囲には、シート材（１）から抜き取るための切り取り線（４）をそれぞれ設け、組立可能としたことを特徴とする組立卓上カレンダー。
【考案の詳細な説明】
【技術分野】
【０００１】
この考案は、組立卓上カレンダーに関するものである。
【背景技術】
【０００２】
従来、カレンダーは、人々の社会生活にとって絶対に欠かせないものであり、各家庭に、最低でも１個は存在するものである。
【０００３】
そして、このカレンダーは、企業の広告媒体として重宝されており、毎年、美麗なカラー写真付きのものや、珍しい写真付きのカレンダー等がある。
【０００４】
このカレンダーには、壁に貼るものや、毎月、月ごとに差し替えて使用するものもあり、コンパクトな卓上カレンダーが人気である。
【０００５】
しかし、これらの卓上カレンダーは、ホルダー部を、各月のカレンダーとは別個に作成されていた。例えば、特許文献１のように。
【先行技術文献】
【特許文献】
【０００６】
【特許文献１】特開２００６−１０６２号公報
【考案の概要】
【考案が解決しようとする課題】
【０００７】
そこで、この考案の課題は、一枚の紙等のシート材から、１２ケ月分の各月カレンダーと、カレンダーホルダーとを一体に構成する卓上カレンダーを開発・提供することにある。
【課題を解決するための手段】
【０００８】
上記の課題を解決するため、本件の考案者は、一年間の各月ごとのカレンダーを、一枚の紙等のシート材から構成し、しかも、ホルダーも設け、切り取り線に沿って切り取ることにより、子供たちの工作にもなる組立卓上カレンダーを開発・提供することにある。
【考案の効果】
【０００９】
１）  この考案によると、一枚のシート材から毎月ごとのカレンダーが得られ、便利であり、残余の箇所に、コマーシャルを入れることにより販促品としても有効である。
２）  また、切り取り線に沿って、シート材から抜き取り、組み立てることができ、子供たちの工作としても利用できる
等極めて有益なる効果を奏する。
【図面の簡単な説明】
【００１０】
【図１】この考案の一実施例を示す片面の平面図である。
【図２】この考案の一実施例を示す他の片面の裏面図である。
【図３】この考案の他の実施例を示す片面の平面図である。
【考案を実施するための形態】
【００１１】
以下、本考案について詳細に説明する。なお、本考案においては、以下の記述に限定されるものではなく、本考案の要旨を逸脱しない範囲においては適宜変更可能である。
【実施例】
【００１２】
本考案の一実施例を図面に基づいて詳述すると、一枚のシート材（１）を設け、該シート材（１）の片面、あるいは両面に、一年の各月ごとのカレンダーを表示する月カレンダー部（２）を印刷し、前記シート材（１）の残余の部分に、これらカレンダーを差し込み保持するためのホルダー（３）を一体に印刷し、これら、カレンダー部（２）、ホルダー（３）の周囲には、シート材（１）から抜き取るための切り取り線（４）（４ａ）をそれぞれ設け、組立可能としたことを特徴とする組立卓上カレンダーから構成される。
【００１３】
尚、一枚のシート材（１）を設け、該シート材（１）の片面に、一年の各月ごとのカレンダーを表示する月カレンダー部（２）の半分の月カレンダー部（２）を６ケ所に印刷し、この印刷された月カレンダー部（２）と同一箇所のシート材（１）の他の片面に、残り半分の月カレンダー部（２′）を印刷し、前記シート材（１）の残余の部分に、これらカレンダーを差し込み保持するためのホルダー（３）を一体に印刷し、これら、カレンダー部（２）（２′）の周囲には、シート材（１）から抜き取るための切り取り線（４）をそれぞれに入れ、ホルダー（３）にも、必要な切り取り線（４ａ）を入れ、組立可能とするものである。
【００１４】
さらに、月カレンダー部（２）は、シート材（１）の片面にのみに印刷してもよく、この場合には、１２ケ月の各月カレンダー部を印刷するものである。
【００１５】
尚、シート材（１）は、例えば、多少厚手の紙製であり、一面のカレンダー月が１月であれば、他面のカレンダー月が７月であるとか、一面のカレンダー月が２月であれば、他面のカレンダー月が８月であるとか、一面のカレンダー月が３月であれば、他面のカレンダー月が９月であるとか、一面のカレンダー月が４月であれば、他面のカレンダー月が１０月であるとか、一面のカレンダー月が５月であれば、他面のカレンダー月が１１月であるとか、一面のカレンダー月が６月であれば、他面のカレンダー月が１２月であるよう構成するが、一面のカレンダー月が１月であれば、他面のカレンダー月が２月であってもよく、特に限定はしない。
【００１６】
また、ホルダー（３）の形状についても、特に、限定されることはなく、その一例として図面に示した。
【００１７】
さらに、シート材（１）から月カレンダー等を抜き取るための切り取り線（４）は、点線であっても、一点鎖線であってもよく、特に、限定はしない。
【産業上の利用可能性】
【００１８】
この考案によると、組立卓上カレンダーの技術を確立し、それに基づいて製造・販売することにより、産業上の利用可能性があるものである。
【符号の説明】
【００１９】
１  シート材
２  月カレンダー部
２′月カレンダー部
３  ホルダー
４  切り取り線
４ａ  ホルダー用の切り取り線
【図１】
0003151549.tif 000003
【図２】
0003151549.tif 000004
【図３】
0003151549.tif 000005
(57)【要約】      （修正有）【課題】軸受けの改良による回転エネルギーのロスの低減が出来る軸受けを提供する。【解決手段】軸受けに懸かる重量と圧力を使用目的に合わせ、例えば自動車等、重量と圧力が上から懸かる軸受けの場合、上片半分に大きな負担がかかる、又、発電機用蒸気タービンの軸受けは重量と圧力が、下片半分に大きな負担がかかる、それ故、目的に合わせ軸受けの、圧力がかかる側を充分な強度と面積で作り、圧力が懸らない側を、３分の２以下の小幅に作り回転エネルギーに与える抵抗を少なくして回転効率を最高にした軸受けが実現可能になった。【選択図】図１
0003151567.tif 000002
【実用新案登録請求の範囲】
【請求項１】
内燃機関用ピストンと、クランクシャフトの連結に使用される、コネクテイングロツドのクランクシャフト側の軸受けに於いて、爆発力を直接クランクシャフトに伝える軸受けの上片半分を充分な強度と面積で作り、軸受けの下片半分は爆発の圧力を直接受けないので、強度も小さくて済む、上片半分の幅に比べ、下片半分は幅も３分の２以下の小幅に作りクランクシャフトに接する面積を最小限に小さくし、回転エネルギーに与える抵抗を少なくしてエンジンの回転効率を最高に上げる方法、
【請求項２】
発電機用蒸気タービン用軸受け、一般機械用の軸受け等、重量が軸受けの下側方向に懸かる場合、メタルの軸受けの下片半分は充分な強度と面積で作り、上片半分は重量の圧力も少ないので、幅も３分の２以下の小幅に作り、軸に接する面積を最小限に小さくして、回転エネルギーに与える抵抗を少なくして回転効率を最高に上げる。又、
鉄道用車両、自動車等、重量が軸受けの上側に懸かる場合、上片半分は充分な強度と面積で作り、下片半分は圧力も少ないので、幅も３分の２以下の小幅に作り軸に接する面積を最小限に小さくして、回転エネルギーに与える抵抗を少なくして回転効率を最高に上げる。
上記の軸受けは使用する場所により、２方式の相反する作用があるので、軸受け本体を上下逆転して使用する方法。
【考案の詳細な説明】
【技術分野】
【０００１】本考案は、軸受けの改良に関する。
【背景技術】
【０００２】従来の軸受けは軸に対して軸の前周に均一に接触して使用されていた。
【考案の開示】
【０００３】
【考案が解決しょうとする課題】
【０００４】ところが、従来から使用されている軸受けは軸受けに懸かる重量と圧力が全周均一で無いのに、厚みの幅を狭くするなど一部の改良のみで、全般的に適正な改良も無く利用されており、新しく改良された軸受けが所望されていた
【課題を解決するための手段】
【０００５】本考案は上記目的を達成するために、軸受けに懸かる重量と圧力を使用目的に合わせ、例えば自動車等、重量と圧力が上から懸かる軸受けの場合、上片半分に大きな負担がかかる、又、発電機用蒸気タービンの軸受けは重量と圧力が、下片半分に大きな負担がかかる、それ故、目的に合わせ軸受けの、圧力が懸かる側を充分な強度と面積で作り、圧力が懸らない側を、３分の２以下の小幅に作り回転エネルギーに与える抵抗を少なくして回転効率を最高にした軸受けを提供することを可能にし課題を解決するための手段とした。
【考案の効果】
【０００６】
【０００７】上記した本考案により、自動車用エンジン、船舶用エンジン、その他の各種エンジン、に使用されるコネクテイングロッドの軸受けの改良によるエネルギーのロスの低減、発電機用蒸気タービン用その他の産業機械用、軸受けの改良による回転エネルギーのロスの低減が出来る軸受けを提供することが可能になつた。
【考案を実施するための最良の形態】
【０００８】以下、本考案の好ましい実施の形態につき、図面を参照し具体的に説明する。
【実施例】
【０００９】図１は本考案に係る、ピストンとコネクテイングロッド、コネクテイングロッドキャツプの実施例を示す図である。
図中、１はピストンを、２はコネクテイングロッドで軸受けの上片半分を含む、３はコネクテイングロッドキャップで軸受けの下片半分を幅を３分の２以下の状態で表わす。【００１０】図２は、本考案に係る他実施例を示す図で、例えば、自動車等、重量と圧力が上から懸かる軸受けの場合、
図中、１は重量と圧力が懸かり上片半分を充分な強度と面積で作り、２は重量と圧力が懸らないので下片半分を３分の２以下の小幅に作り回転エネルギーに与える抵抗を少なくして回転効率を最高に上げる様に加工したものである。【００１１】発電機用蒸気タービン等、重量と圧力が、下片半分に懸かる場合、上記の自動車等、と相反する作用があるので、軸受けを上下逆転させて使用する。
【産業上の利用分野】
【００１２】本考案に係る軸受けは、二輪車オートバイ用、船舶用、航空機用、その他、あらゆる産業用の内燃機関用ピストンエンジン、又、発電機用蒸気タービン、その他産業用機械に用いる事が可能である。
【図面の簡単な説明】
【００１３】
【図１】本考案に係る、コネクテイングロッド軸受けの実施例である。
【図２】本考案に係る、他実施例を示す図で、自動車等、重量と圧力が上から懸かる軸受けの場合の実施例である。
【符号の説明】
【００１４】［図１］１  ピストン                      ５  ３の軸受けの下片半分を表す。
２  コネクテイングロッド          ４ａ  ４の幅を表す。
３  コネクテイングロッドキャツプ  ５ａ  ５の３分の２以下の幅を示す。
４  ２の軸受けの上片半分を表す。
［図２］
１  重量と圧力が上から懸かる軸受けの場合で上片半分を強度と面積を充分にとって作      った分を表す。
２  重量と圧力が軸受けにあまり懸らない、下片半分を３分の２以下の幅に作り回転エ      ネルギーに与える抵抗を少なくして作った分を表す。
１ａ  １の幅を表す。              ２ａ  ２の幅を表す。
【図１】
0003151567.tif 000003
【図２】
0003151567.tif 000004
【手続補正書】
【提出日】平成21年3月31日(2009.3.31)
【手続補正１】
【補正対象書類名】実用新案登録請求の範囲
【補正対象項目名】全文
【補正方法】変更
【補正の内容】
【実用新案登録請求の範囲】
【請求項１】
内燃機関用ピストンと、クランクシャフトを連結するコネクテイングロッドのクランクシャフト側の軸受けにおいて、該軸受けの下片半分の幅を、上片半分の幅の３分の２以下の小幅に作った事を特徴とする軸受け。
【請求項２】
内燃機関用ピストンと、クランクシャフトを連結するコネクテイングロッドのクランクシャフト側の軸受けにおいて、該軸受けの下片半分の幅を、上片半分の幅の３分の２以下の小幅に作りクランクシャフトに接する面積を最小限に小さくしたことを特徴とする請求項１に記載の軸受け。
【手続補正２】
【補正対象書類名】明細書
【補正対象項目名】００１４
【補正方法】変更
【補正の内容】
【００１４】
【符号の説明】
１  ピストン
２  コネクテイングロッド
３  コネクテイングロッドキャツプ
４  軸受けの上片半分
４ａ  軸受けの上片半分の幅を表す
５  軸受けの下片半分
５ａ  軸受けの下片半分の３分の２以下の幅を示す
【手続補正３】
【補正対象書類名】図面
【補正対象項目名】図２
【補正方法】変更
【補正の内容】
【図２】
0003151567.tif 000005
(57)【要約】      （修正有）【課題】他人に迷惑をかけずにニコチンを楽しむことができるニコチンドロップスを提供する。【解決手段】好みの味のドロップスに０．１ｍｇ〜０．３ｍｇのニコチンを混入したことを特徴とするニコチンドロップスである。禁煙場所においても、このドロップスを口に含むだけで、他人に迷惑をかけずにニコチンを楽しむことができる。【選択図】図１
0003151561.tif 000002
【実用新案登録請求の範囲】
【考案の詳細な説明】
｛物件名｝
『ニコチンドロップス』
｛明細書｝
好みの味のドロツプにニコチン０．３ｍｇを含ませる。
（図面）
略
0003151561.tif 000003
【手続補正書】
【提出日】平成20年11月27日(2008.11.27)
【手続補正１】
【補正対象書類名】実用新案登録請求の範囲
【補正の内容】
0003151561.tif 000004
【手続補正２】
【補正対象書類名】明細書
【補正対象項目名】全文
【補正方法】変更
【補正の内容】
【考案の詳細な説明】
【考案の詳細な説明】
現在、タバコをすえる場所は殆んど無くなっている。
しかし、タバコを止められない人が沢山いることも事実である。そこでこの不便を解消する為に本考案を考え付いたものである。他人に何の迷惑をかけずニコチンを楽しむことが出来る。健康については問題はない。
【技術分野】
【０００１】
【背景技術】
【０００２】タバコをすえる場所が無くなった。
【考案の開示】
【考案が解決しようとする課題】
【０００３】いかに他人に迷惑をかけずにニコチンを楽しむことができるか。
【課題を解決するための手段】
【０００４】ドロップスに微量のニコチンを混入する。
【考案の効果】
【０００５】ニコチンドロップスを口に含むだけで、他人に迷惑をかけずニコチンを楽しめる。
【考案を実施するための最良の形態】
【０００６】ドロツプス製造会社とタバコ製造会社が技術を出し合えばよい。
【実施例】
【０００７】ニコチンドロップスを口に含む。
【産業上の利用可能性】
【０００８】大いに有り。世界の愛煙家の朗報となるであろう。
【図面の簡単な説明】
【０００９】
【図１】は断面図である。
【図２】は側面図である
【符号の説明】
【００１０】図１、図２に示すごとく本考案は直径５ｍｍ、長径１５ｍｍのラグビーボール型のドロップスである。
【手続補正３】
【補正対象書類名】図面
【補正対象項目名】全図
【補正方法】追加
【補正の内容】
【図１】
0003151561.tif 000005
【図２】
0003151561.tif 000006
【手続補正書】
【提出日】平成21年2月2日(2009.2.2)
【手続補正１】
【補正対象書類名】実用新案登録請求の範囲
【補正対象項目名】全文
【補正方法】変更
【補正の内容】
【実用新案登録請求の範囲】
【請求項１】
好みの味のドロップスに０．１ｍｇ〜０．３ｍｇのニコチンを混入したニコチンドロップス。
【手続補正書】
【提出日】平成21年4月8日(2009.4.8)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
好みの味、形のドロップスに、０．１〜０．３ｍｇのニコチンを含ませたニコチンドロップス。
(57)【要約】      （修正有）【課題】溜まった埃を剥離し気中に舞い上げることなく吸い込むことを目的とした吸い込みハタキを提供する。【解決手段】軟質の塗装用刷毛１を使うとハタキの代わりになるが、刷毛毛２の中を通気することが出来ないので、刷毛毛２を、電気掃除機の吸い込み口の内側につけ、刷毛毛２が吸い込み力に負けない様に刷毛毛２の一部をボンド糊で固めた。【選択図】図１
0003151563.tif 000002
【実用新案登録請求の範囲】
【請求項１】
電気掃除機の、吸い込み口の先端に、改造した塗装用の刷毛を（図４）取り付けるのを特徴とする吸い込みハタキ。
【請求項２】
電気掃除機の、筒状吸い込み口の内側に（図５）改造した塗装用の刷毛を取り付けるのを特徴とした、吸い込みハタキ。
【請求項３】
電気掃除機の、吸い込みハタキに使う塗装用の刷毛は、毛が軟質なので、吸引力に負けない様に、刷毛の付け根の一部分にボンド糊を付け、固めるのを特徴とした、吸い込みハタキ。
【請求項４】
電気掃除機の、吸い込みハタキに使う塗装用の刷毛は、毛が軟質のため、長く使うと、埃が刷毛毛の中に溜まるので、水洗いが出来るように、取り外しが出来るのを特徴とした吸い込みハタキ。
【考案の詳細な説明】
【考案の詳細な説明】
【技術分野】
【０００１】この考案は、従来ハタキで、色々な形をした家具、及び雛人形の様な置物に付いた埃を掃除していたものを、塗装用刷毛をハタキの代わりとして使い、掃除する目的で考案した物である。【０００２】この考案は、従来ハタキで剥離していた埃を、空気中に舞い上げることなく、掃除機で吸い取ることを目的として考案した物である。
【背景技術】
【０００３】現在使用されている多くの掃除機は、植毛の内側に吸い込み口が有るので、通気の為どうしても硬質な毛を使うことになり、ハタキを使って掃除するような、凹凸ある被掃除場所及び軟質材で作った置物の埃が取りにくい。
【考案の開示】
【考案が解決しようとする課題】
【０００４】ハタキを使い掃除する様な場所は、凹凸が有ったり、軟質材を使った置物なので、塗装用の軟質の刷毛を使うと良い事は分かったが、掃除機との関連に思考した。【０００５】塗装用の刷毛の中を通気することは出来ないので、剥離した埃の吸い込み口の位置に思考した。
［問題を解決するための手段］【０００６】ハタキを使うような場所の掃除なので、軟質な刷毛を使うことになるが、軟質な刷毛の間を通気させることは出来ないので。刷毛を吸い込み口の内側につけ、刷毛で剥離した埃が刷毛毛の中を通る事なく集塵出来る様にした（図５）【０００７】塗装用の刷毛は軟質な毛なので、掃除機の吸引力に吸い込まれる、そこで、刷毛先を吸引力を損なわない程度先にずらし（図１）吸引力の強く当たる刷毛の一部を、ボンド糊で固めた。
【考案の効果】
【０００８】塗装用の刷毛は軟質で毛先も長いので、ハタキを使って集塵するようなところの掃除に対応出来る。【０００９】ハタキでの掃除は、一時埃を舞い上げるので、アレルギイ患者の居る所では出来なかった掃除が、吸い込みハタキは、埃を剥離すると同時にすいこむので、患者がいても掃除が出来る。
【実施例】
【００１０】サンプルを作り実際に掃除してみたが、ハタキの役目は十分に果たす事が出来る。
【図面の簡単な説明】
【００１１】
【図１】  刷毛を取り付けた器具の側面図
【図２】  刷毛の取り付け器具の側面図
【図３】  刷毛の取り付け器具の上面図
【図４】  市販されている塗装用刷毛の改造図
【図５】  刷毛を取り付けた器具の吸い込み口正面図
【符号の説明】
【００１２】  １    塗装用刷毛
２    刷毛毛
３    プラスチック器具
４    ボンド糊付け部分
【図１】
0003151563.tif 000003
【図２】
0003151563.tif 000004
【図３】
0003151563.tif 000005
【図４】
0003151563.tif 000006
【図５】
0003151563.tif 000007
【手続補正書】
【提出日】平成21年1月19日(2009.1.19)
【手続補正１】
【補正対象書類名】実用新案登録請求の範囲
【補正対象項目名】全文
【補正方法】変更
【補正の内容】
【実用新案登録請求の範囲】
【請求項１】
電気掃除機の吸い込みハタキは、市販されている、塗装用の刷毛を、図４に示した形に改造し、図２、及び図３で示した形の、硬質なプラスチック材で作った器具に取り付け、図１に示した様な形にし、電気掃除機の筒状吸い込み口の先端に取り付けるのを特徴としたものである。
【請求項２】
電気掃除機の、吸い込みハタキに使う刷毛は、塗装用に造った刷毛を使うので、刷毛毛は軟質で、密に束ねたものですので、集塵することは出来ても、刷毛毛の中を通気する事は出来ないので、図５に示した形の様に管状吸い込み口の内側に取り付け、刷毛毛で剥離した埃を、刷毛毛の中を通気することなく吸引できる様にしたのを特徴としたものである。
【請求項３】
電気掃除機の、吸い込みハタキに使う、市販されている塗装用の刷毛は、刷毛毛が軟質なので、掃除機の吸引力に負け、刷毛毛が埃と一緒に吸い込まれ、吸い込み口を塞がないように、刷毛毛の付け根の一部分をボンド糊で固め、吸い込まれない様にした事を特徴としたものである。
【手続補正書】
【提出日】平成21年4月2日(2009.4.2)
【手続補正１】
【補正対象書類名】実用新案登録請求の範囲
【補正対象項目名】全文
【補正方法】変更
【補正の内容】
【実用新案登録請求の範囲】
【請求項１】
電気掃除機吸い込みハタキであって、刷毛毛は軟質で、密に束ねたものである塗装用の刷毛を、電気掃除機の筒状吸い込み口の内側に取り付けることを特徴とした、電気掃除機吸い込みハタキ。
【請求項２】
刷毛毛の付け根の一部を、糊で固めた事を特徴とする、請求項１に記載の、電気掃除機吸い込みハタキ。
(57)【要約】      （修正有）【課題】樹脂であれ金属であれ、何れでも脱着自在に装置する事が可能であり、解体・洗浄・消毒を可能とし、手動ポンプでも動力ポンプにでも螺子接続を可能にする真空用弁座を提供する。【解決手段】装着する容器には予め弁受１を貫くための円形を切欠して設け、固定板２の中央には円筒状の弁受１を一体に設け、護謨パッキン６を介して容器の切欠に差し込み、容器８上に突出する該弁受１に更に護謨パッキン６を介して結合板４を緊密に螺子込んで容器一体とする。弁受１に容置する弁座３の先端の弁の部分は、円錐形に設けた棒状の円柱であり、後前の部分には軸心で上下可動に安定板７で保持可能に設ける。【選択図】図１
0003151570.tif 000002
【実用新案登録請求の範囲】
【請求項１】
弁受▲４▼の立体部分の外側には螺子▲９▼を設け、該弁受に相対する結束板▲７▼を螺子込んで容器受▲３▼の空隙を形成し残余の螺子はポンプ承継用と成し、内面には傘状の弁座▲１▼を収容するように設けた真空用弁座である。
【請求項２】
承継用螺子▲９▼にポンプを取り付け抜気孔▲１１▼から抜気すれば、弁座▲１▼は護謨論▲４▼を介して気密に吸着し、更に安定板▲６▼で定置可能に設け反対に引掛穴▲８▼引掛けて作動すれば容易に解気するように設けた第一項に示す真空用弁座である。
【考案の詳細な説明】
【考案の詳細な説明】
【０００１】  〔産業上の利用分野〕
本案と同じ構造で昭和３４年２月１８日  実案第４８８１６９号として許可を受けましたが、当節は金属を対照とする構造が多かったが、時代の流れと共に近年では樹脂容器等、特にビニール容器に弁座を固定した物が広く利用されている。
本案真空用弁座は、樹脂でも金属でも至極容易に脱着自在に装置可能に設けて成る構成である。
【０００２】  〔従来の技術〕
従来の真空構成は、専用の弁座を専用の容器に半永久的に固定し、其の弁座に一致する特定のポンプを一体に設けているために不衛生になる事柄が多い。
尚、長時間放置すると無真空となっている。
【考案が解決しようとする課題】
【０００３】前述するように樹脂でも金属でも脱着自在に設け、弁座の解体洗浄消毒可能と成し手動ポンプでも動力ポンプでも螺子接続可能にせんとする
【課題を解決するための手段】
【０００４】図２で示すように、弁受▲４▼の立体部分の内面には弁座▲１▼を容れ、基定部分には同直経の結束板▲７▼を螺子込み、残余の螺子抜気口▲１１▼にはポンプの接続子を承継可能に設けて気密度並解体並承継等、思い通りの装着設定可能に設けた真空用弁座である。
【実施例】
【０００５】樹脂容器並金属容器其の他の容器に図２に示す抜気口▲１１▼の径と同じ穴を切欠し、上下薄い護謨板を介して弁座▲２▼を差し込み、重ねて同径の結束板▲７▼を螺子込みポンプに承継するための螺子を残余する。
内面には傘状の便座▲１▼を容れ更に安定板▲６▼を容れる。抜気せんとするに抜気口▲１１▼の残余の螺子にポンプの接続子を螺子込み抜気すれば、弁座▲１▼は護謨輪▲４▼を介して気密度を増すと共に安定板▲６▼で定置する。
【図面の簡単な説明】
【図１】組合して一体と成る横断拡大図
【図２】弁受の横断拡大図
【図３】安定板拡大平面図
【符号の説明】
〔１〕  弁座
〔２〕  弁受
〔３〕  容器受
〔４〕  護謨輪
〔５〕  通気孔
〔６〕  安定板
〔７〕  結束板
〔８〕  引掛穴
〔９〕  螺子
〔１０〕  弁座孔
〔１１〕  抜気孔
【図１】
0003151570.tif 000003
【図２】
0003151570.tif 000004
【図３】
0003151570.tif 000005
【手続補正書】
【提出日】平成21年3月12日(2009.3.12)
【手続補正１】
【補正対象書類名】明細書
【補正対象項目名】全文
【補正方法】変更
【補正の内容】
【考案の詳細な説明】
【考案の詳細な説明】
【０００１】本案は食物或は飲用液体等を暫時保存するために、絶対真空ではなく酸化又は細菌の繁殖を防止する抜気器具を提供せんとする。
【従来の技術】
【０００２】従来の抜気器具は特定の専用容器に半永久的に固定してあるために不衛生になる憂いがあり、更に時間と共に解気する憂いもある。
【考案が解決しようとする課題】
【０００３】［０００２］に記載する如く本案は樹脂であれ金属であれ、何れでも脱着自在に装置する事が可能であり、本案抜気弁座の解体洗浄消毒可能と成し、手動ポンプでも動力ポンプにでも螺子接続可能にせんとする。
【課題を解決するための手段】
【０００４】本案を装着せんとする容器には予め弁受▲１▼を貫くための円形を切欠して設け、図２に示す如く固定板▲２▼の中央には円筒状の弁受▲１▼を一体に設け、護謨パッキン▲６▼を介して容器の切欠に差し込み、容器▲８▼上に突出する該弁受に更に護謨パッキン▲６▼を介して結合板▲４▼を緊密に螺子込んで容器一体と成す。
【０００５】弁受▲１▼に容置する弁座▲３▼の先端の弁の部分は、円錐形に設けた棒状の円柱であり、後前の部分には軸心で上下可動に安定板▲７▼で保持可能に設ける。
尚、結合板▲４▼上に突出する弁受▲１▼には、手動又は動力の吸引ポンプを螺結するように設け、抜気する場合は弁座▲３▼の末端を作動すれば至極容易に抜気可能である。
【実施例】
【０００６】前述するように固定板▲２▼の中央に円筒状の弁受▲１▼を一体に設け、護謨パッキン▲６▼を介して容器の切欠に差し込み、更に容器上に突出する該弁受に同じく護謨パッキン▲６▼を介在して結合板▲４▼を螺子込んで容器▲８▼を緊密に狭窄するように設けた抜気弁座である。
【図面の簡単な説明】
【図１】組合して一体と成る横断拡大図
【図２】弁座の縦断拡大図
【図３】固定板の中央に円筒形の弁受けを設けた横断面図
【図４】弁座の軸心の作動を保護する安定板平面図
【符号の説明】
〔１〕  弁受け
〔２〕  固定板
〔３〕  弁座
〔４〕  結合板
〔５〕  通気孔
〔６〕  護謨パッキン
〔７〕  安定板
〔８〕  容器
【手続補正２】
【補正対象書類名】図面
【補正対象項目名】全図
【補正方法】変更
【補正の内容】
【図１】
0003151570.tif 000006
【図２】
0003151570.tif 000007
【図３】
0003151570.tif 000008
【図４】
0003151570.tif 000009
【手続補正３】
【補正対象書類名】実用新案登録請求の範囲
【補正対象項目名】全文
【補正方法】変更
【補正の内容】
【実用新案登録請求の範囲】
【請求項１】
抜気せんとする樹脂容器又は、金属容器▲８▼に予め弁受▲１▼を貫く部分に適当な円形の切欠控を形成し、容器の内面から外方へ固定板▲２▼の中央に直立する該弁受を護謨パッキン▲６▼を介して然る容器▲８▼の控隙に差し込み、容器上に突出する該弁受に更に護謨パッキンを介して、結合板▲４▼を緊密に螺子込んで容器を狭窄可能にした抜気弁座の構造である。
【請求項２】
容器▲８▼並固定板▲２▼並結合板▲４▼が、緊密に螺結一体となった弁受の残余の螺子には、手動並動力ポンプを螺結するのであるが、脱着・解体が至極容易であるために、洗浄消毒が出来る事を特徴とする請求項１に示す抜気弁座の構造である。
(57)【要約】      （修正有）【課題】ハンガーに衣服を干す際に生じる衣服のズレを防止し、乾燥後の衣服の型崩れを防止する型くずれ防止ハンガーを提供する。【解決手段】ハンガー肩部に凹みを設け、固定専用の洗濯ばさみを備え付けることを特徴とする。衣服を干す際、襟を凹みに合わせた状態にし、維持する為に洗濯バサミで固定する。【選択図】図２
0003151568.tif 000002
【実用新案登録請求の範囲】
【請求項１】
洗濯後の衣服を干す際に、衣服用ハンガーに凹みを設け、そこに衣類（Ｔシャツ等）の襟を合わせる。襟の部分がズレないよう、洗濯バサミで固定する。この状態で干すことで、ハンガーによる衣類の型崩れ防止を目的としたハンガー
【考案の詳細な説明】
【技術分野】
【０００１】  本考案は、洗濯後の衣類の型崩れ防止を目的とした、ハンガーに関するものである。
【背景技術】
【０００２】  洗濯物を干す際、ズレ落ちないように洗濯バサミで止めるが、左右のバランスや衣服のサイズによって乾燥後は型崩れしていた。
【考案の開示】
【考案が解決しょうとする課題】
【０００３】  洗濯乾燥後の衣服にハンガーの後が残ると、着用の際に非常に目立ち、見栄えも良くない。かと云ってそのままの着用は好ましくないので、アイロン掛けやもう一度洗濯し直す場合も想定される。そうなると時間及び労働的負担を強いられる事になる。そこで、洗濯後の衣服が型崩れを起こさないよう、干す際に、形を維持する必要があると考え、固定する洗濯バサミと固定位置として、ハンガー本体に凹みを設けた。固定箇所も２か所とハッキリした為、ハンガー本体に、固定専用の洗濯バサミを２個備え付け、一体化した。これで前述の問題点を解決しようとするものである。
【課題を解決するための手段】
【０００４】  本考案は、ハンガー本体に襟元専用の凹みを設け、固定専用の洗濯バサミを備え付ける。衣服を干す際、襟を凹みに合わせ、状態を維持する為に、備え付けの洗濯バサミで固定する。
【考案の効果】
【０００５】  上述の様に、本考案の型崩れ防止ハンガーは従来の安価なハンガーで起こり得る問題を解決出来るのは勿論、日々の生活の中で欠かす事の出来ない、洗濯物を干すという状況を踏まえた上でも極めて実践し易く、合理的である。
【考案を実施するための最良の形態】
【０００６】  ハンガー本体の首の部分に、洗濯バサミ装着用の曲がりを２か所設け、首元の両側に凹みを設ける。材質はプラスチック、木、鉄線をビニールで包んだ物等いずれも可。襟元を固定する洗濯バサミはツマミ部分が短めで、使用しない時はハンガーの首の部分、曲がり部分に装着する。
【実施例】
【０００７】  以下、添付図面に従って一実施例を説明する。１はクリーニング店用のハンガー、２はプラスチックの洗濯バサミ。【０００８】  上述の状態は衣服が掛っていない状態。その際、備え付け洗濯バサミは首の部分に装着。衣服を掛けた際、２の洗濯バサミは図２の襟元専用凹みに装着される。【０００９】  本考案の一実施例は上述の構成からなる物である。ハンガー本体に少し手を加え、専用の洗濯バサミを備え付けた、云わば一体化型ハンガーである。
【図面の簡単な説明】
【００１０】
【図１】  本考案の型崩れ防止ハンガーの一実施例、通常時を示す正面図である。
【図２】  本考案の型崩れ防止ハンガーの一実施例、使用時を示す部分拡大図である。
【符号の説明】
【００１１】  １  ハンガー本体
２  備え付け洗濯バサミ
【図１】
0003151568.tif 000003
【図２】
0003151568.tif 000004
【手続補正書】
【提出日】平成21年3月17日(2009.3.17)
【手続補正１】
【補正対象書類名】実用新案登録請求の範囲
【補正対象項目名】全文
【補正方法】変更
【補正の内容】
【実用新案登録請求の範囲】
【請求項１】
肩部に凹みを設け、固定用洗濯バサミが脱着自在な首元を有した型崩れ防止ハンガー
【手続補正２】
【補正対象書類名】明細書
【補正対象項目名】全文
【補正方法】変更
【補正の内容】
【考案の詳細な説明】
【技術分野】
【０００１】  本考案は洗濯後の衣類の型崩れ防止を目的としたハンガーに関するものである。
【背景技術】
【０００２】  洗濯物を干す際ズレ落ちないように洗濯バサミで止めるが、左右のバランスや衣服のサイズによって乾燥後は型崩れしていた。
【考案の開示】
【考案が解決しょうとする課題】
【０００３】  洗濯乾燥後の衣服にハンガーの後が残ると着用の際に非常に目立ち、見栄えも良くない。かと云ってそのままの着用は好ましくないので、アイロン掛けやもう一度洗濯し直す事も想定される。そうなると時間及び手間がかかり負担が増える。そこで洗濯後の衣服が型崩れを起こさないように干した状態を維持し、固定する必要があると考えた。固定するために洗濯バサミ、状態を維持するためにハンガー肩部に凹みを設ける。固定箇所が２か所、故に固定専用の洗濯バサミを２個備え付け、一体化した。これで前述の問題点を解決しようとするものである。
【課題を解決するための手段】
【０００４】  本考案はハンガー肩部に凹みを設け、固定専用の洗濯バサミを備え付ける。衣服を干す際、襟を凹みに合わせた状態にし、維持する為に洗濯バサミで固定する。
【考案の効果】
【０００５】  上述の様に、本考案の型崩れ防止ハンガーは従来の安価なハンガーで起こり得る問題を解決出来るのは勿論、日々の生活の中で欠かす事の出来ない洗濯物を干すという状況を踏まえた、極めて実践し易い合理的な物ある。
【考案を実施するための最良の形態】
【０００６】  図１に示すように衣服を干す時の襟位置にあたる肩部に凹みを設け、固定用の洗濯バサミをハンガーの首元に備え付ける。
【実施例】
【０００７】  以下、添付図面１に従って一実施例を説明する。１はワイヤーハンガー、２ａ、２ｂは洗濯バサミ、３は凹み、４は首元とする。【０００８】  衣服を干す際、図２に示すように衣服の襟を３の凹みにあわせ、２ａ，２ｂの洗濯バサミで固定し、５のシャツのズレを防止する。【０００９】  本考案の一実施例は上述の構成からなる物である。ハンガー本体に少し手を加え、専用の洗濯バサミを備え付けたハンガーである。
【図面の簡単な説明】
【００１０】
【図１】  本考案の型崩れ防止ハンガーの一実施例、通常時を示す正面図である。
【図２】  本考案の型崩れ防止ハンガーの一実施例、使用時を示す図である。
【符号の説明】
【００１１】  １  ワイヤーハンガー
２  洗濯バサミ
３  凹み
４  首元
５  シャツ
【手続補正３】
【補正対象書類名】図面
【補正対象項目名】全図
【補正方法】変更
【補正の内容】
【図１】
0003151568.tif 000005
【図２】
0003151568.tif 000006
(57)【要約】      （修正有）【課題】熱くて持ち運びにくいコーヒーやお茶やコーンスープなどを、同時に複数個を簡単に持ち運ぶことができるカップホルダーを提供する。【解決手段】紙製又はプラスチック製のカップホルダーの複数の穴に、熱湯の入ったコーヒーやお茶やコーンスープなどが入ったカップを挿入して、右側把手の先端の鍵穴に左側把手の先端の鍵穴の引っ掛け頭部を、引っ掛けて、輪を作り、この輪を指先に引っ掛けると複数個を簡単に持ち運ぶ事が出来る。【選択図】図２
0003151565.tif 000002
【実用新案登録請求の範囲】
【請求項１】
紙製又はプラスチック製のコップや皿が挿入可能な穴を、１個又は複数個有し、穴の中央部のほぼ左右には把手を有し、右側把手の先端には鍵穴と左側把手の先端には鍵穴の引っ掛け頭部を有しているカップホルダー
【考案の詳細な説明】
【技術分野】
【０００１】  コーヒーやお茶やコーンスープなどのように、熱くて持ちにくいないカップを直接手で持たずに、把手に一本の指先を引っ掛けて、複数個同時に持ち運び出来るようにしたカップホルダーに関する。
【背景技術】
【０００２】  紙製又はプラスチック製のカップホルダーに、コーヒーやお茶やコーンスープなど、熱湯が注がれている場合は、熱くて持ち運びにくく、振動でこぼして火傷などをしたりして、同時に複数個を持ち運ぶ事は困難であった。
【考案の開示】
【考案が解決しようとする課題】
【０００３】  熱くて持ち運びにくいコーヒーやお茶やコーンスープなどを、同時に複数個を簡単に持ち運ぶ事。
【課題を解決するための手段】
【０００４】  紙製又はプラスチック製のカップホルダーの穴に、熱湯の入ったコーヒーやお茶やコーンスープなどが入ったカップを挿入して、右側把手の先端の鍵穴に左側把手の先端の鍵穴の引っ掛け頭部を、引っ掛けて、輪を作り、この輪を指先に引っ掛けると複数個を簡単に持ち運ぶ事が出来る。
【考案の効果】
【０００５】  熱くて持ち運びにくいコーヒーやお茶やコーンスープなどを、同時に複数個を簡単に持ち運ぶ事が出来るために、火傷などの危険もなく、片方の手は他の荷物が持てる。
【考案を実施するための最良の形態】
【０００６】図１は穴が１個の場合の形態を示す。
図２は穴が複数個の場合の形態の実施例を示す。
【実施例】
【０００７】図３は穴が１個の場合の実施例の平面図を示す。
図４は穴が１個の場合の実施例の側面図を示す。
図５は穴が複数個の場合の実施例の平面図を示す。
図６は穴が複数個の場合の実施例の側面図を示す。
【産業上の利用可能性】
【０００８】１、高速道路などにあるインターチェンジなどにおいて、バスを降りた乗降客が帰りがけに急いでいる時などは、片手で携帯できる利便性がある。
２、前項の様な状況は、新幹線や汽車や列車や航空機や船舶やお祭りなどで大いに利用される可能性が大きい。
３、図２に示す実施例のような携帯方法を考えると、同時に複数個の販売が可能なので売上の向上など産業上の利用価値は大きい。
【図面の簡単な説明】
【０００９】
【図１】は穴が１個の場合の形態を示す。
【図２】は穴が複数個の場合の形態を示す。
【図３】は穴が１個の場合の平面図を示す。
【図４】は穴が１個の場合の側面図を示す。
【図５】は穴が複数個の場合の平面図を示す。
【図６】は穴が複数個の場合の側面図を示す。
【符号の説明】
【００１０】Ａ―穴      Ｂ―右側把手      Ｃ―鍵穴      Ｄ―左側把手
Ｅ―鍵穴の引っ掛け頭部
【図１】
0003151565.tif 000003
【図２】
0003151565.tif 000004
【図３】
0003151565.tif 000005
【図４】
0003151565.tif 000006
【図５】
0003151565.tif 000007
【図６】
0003151565.tif 000008
(57)【要約】      （修正有）【課題】自動車の若葉マーク・紅葉マーク・他、緊急停止などのサインをディスプレーを使い運転手により簡単に、自由に表示マークを変えることができる万能自転車サインを提供する。【解決手段】自動車の前部又は／及び後部の窓に、若葉マーク、紅葉マーク、赤ちゃんが乗っています等を表示できる様、電球・ＬＥＤ等からなる表示装置を配し、運転席部分に該表示装置に表示する内容を切替えることができる操作器を備えて、上記万能自転車サインを構成する。【選択図】図４
0003151562.tif 000002
【実用新案登録請求の範囲】
【請求項１】
自動車の若葉マーク・紅葉マーク・他、緊急停止など何種類かのマークを自動でディスプレーに表示（電球・ＬＥＤ等）する自動車用サイン。
【請求項２】
請求項１の自動車用サインを吸盤等で車体に取り付け、又は吸盤等で吊り下げる形式の自動車用サイン。
【考案の詳細な説明】
【技術分野】
【０００１】この考案は、自動車の若葉マーク・紅葉マーク・他、緊急停止などのサインをディスプレー（電球・ＬＥＤ等）を使い運転手が簡単に自由に表示マークを変えるものです。
【背景技術】
【０００２】自動車に乗る運転手により、必要なマークを表示しなければならない。従来は家族や会社などでは、免許取立ての人や、高齢の人よりマークを購入しなければならない。運転手が変わるたびにマーク付け替えなければならなかった。また、緊急停止など緊急時にもサインにより、他の自動車に知らせにくかった。また、従来の表示方式では夜間など見にくく本来のマークの役割が十分ではなかった。
【考案の開示】
【考案が解決しようとする課題】
【０００３】運転手が変わるたびにマーク（若葉マーク・紅葉マーク・他、）を付け替えることもなく、運転手が自由に必要なマークを選べ自動的に表示される。緊急時に他の自動車に知らせる事ができる。また、ディスプレー（電球・ＬＥＤ等）により明るく夜間でもよく見えるようになる。
【課題を解決するための手段】
【０００４】マーク（若葉マーク・紅葉マーク・妊娠中マーク・妊娠中・赤ちゃんが乗っています・緊急停止など）などをディスプレー（電球・ＬＥＤ等）で表示する。そのディスプレーを操作器（運転席近くに設置）により、必要なマークを表示する。
【考案の効果】
【０００５】運転手が運転時に面倒なマークの差し替えがなくなったり、表示を忘れることも少なくなります。また、緊急時に事故を回避することも出来ます。
【考案を実施するための最良の形態】
【０００６】自動車の前部・後部窓にディスプレー（電球・ＬＥＤ等）を設置、運転席にて表示が変えられるようにする。操作器は運転席部分に設置。
【実施例】
【０００７】自動車の前部・後部にディスプレー（電球・ＬＥＤ等）を設置し、操作器により運転席から運転時に自由に簡単に表示が変えられるようにする。
【図面の簡単な説明】
【０００８】
【図１】この考案の一実施形態を示す斜視図である。
【図２】この考案の一実施形態である自動車の後部の図である。
【図３】この考案の一実施形態であるディスプレーの図である。
【図４】この考案の全体図である。
【符号の説明】
【０００９】１、ディスプレー全体図
２、サイン表示部分
３、ディスプレーと操作器をつなぐコード
４、表示切替用操作器
【図１】
0003151562.tif 000003
【図２】
0003151562.tif 000004
【図３】
0003151562.tif 000005
【図４】
0003151562.tif 000006
【手続補正書】
【提出日】平成21年1月20日(2009.1.20)
【手続補正１】
【補正対象書類名】実用新案登録請求の範囲
【補正対象項目名】全文
【補正方法】変更
【補正の内容】
【実用新案登録請求の範囲】
【請求項１】
自動車の運転時に免許取得１年以内の場合は「若葉マーク」を提示しなければなりません。
「若葉マーク」「紅葉マーク」などの表示を、現在使われているシールやプレートではなく、電球・ＬＥＤなどで一つの画面で表示できるようにする。画面は、「若葉マーク」「紅葉マーク」など、また「緊急停止」「赤ちゃん乗っています」などの表示を運転席の切替スイッチにより必要な表示マークに切替えることが出来る。
【手続補正書】
【提出日】平成21年3月23日(2009.3.23)
【手続補正１】
【補正対象書類名】実用新案登録請求の範囲
【補正対象項目名】全文
【補正方法】変更
【補正の内容】
【実用新案登録請求の範囲】
【請求項１】
自動車の前部、後部窓に設置されるディスプレーと、運転席部分に設置される操作器とを備え、操作器により運転席から運転時に自由に表示マークを変えられるようにしたことを特徴とする、万能自動車サイン。
(57)【要約】      （修正有）【課題】手間や電力を省く手段を講じて継続的な打ち水効果を実現させた懸架式吸水性シート冷却装置を提供する。【解決手段】対象支持体７から懸架するための治具５を介して懸架された貯水容器支持台１上に貯水容器２を搭載するとともに、貯水容器支持台１から布や化学繊維等の吸水性シート３を吊り下げ、吸水性を持つ裁縫糸や毛糸等の通水具４により貯水容器２内の水等の液体を吸い上げ、その通水具４を通して、吸水性シート３との間を連絡することで、吸水性シート３に液体を滴下させ気化させることにより、道路やベランダ等の装置近辺の温度を下げることで、いわゆる打ち水効果を継続的に実現する。【選択図】図７
0003151569.tif 000002
【実用新案登録請求の範囲】
【請求項１】
吸水性シートからの液体の気化熱利用の冷却目的で、貯水容器支持台と貯水容器と吸水性シートと通水具と、それらを懸架するための懸架用治具を主たる構成要素とする装置であり、貯水容器支持台上に貯水容器を搭載するとともに、貯水容器支持台から布や合成繊維等の吸水性シートを吊り下げ、吸水性を持つ裁縫糸や毛糸等の通水具により貯水容器内の水等の液体を吸い上げ、その通水具を通して、吸水性シートとの間を接触のみや接着剤による接着や縫い付けなどの方法で連絡することで、吸水性シートに液体を滴下させ気化させることにより、道路やベランダ等の装置近辺の温度を下げることで、いわゆる打ち水効果を継続的に実現する冷却装置に係る。
【請求項２】
前記懸架用治具として、道路沿いの家屋の窓枠やベランダ壁に、引っ掛け懸架するためのフック状の治具を有する請求項１の冷却装置。
【請求項３】
前記懸架用治具として、道路の街灯用柱や建物の柱などの、柱状の支持体に固定して懸架するための、バックルを有していたり結べるという様な、結束できる構造を有する、強度を持った布製や金属製等のベルト状の治具を有する請求項１の冷却装置。
【考案の詳細な説明】
【技術分野】
【０００１】本考案は、液体の気化熱を装置近辺から奪い、装置近辺を冷却するための装置に関する。
【背景技術】
【０００２】夏の炎天下などの道路やベランダ等の環境を冷却するために、人手で水を撒く打ち水作業や、スプリンクラー等を使っての散水などが行われている。
【考案の開示】
【考案が解決しようとする課題】
【０００３】人手で水を撒く打ち水などの作業は、道路やベランダ等の環境を冷却するために有効であるが、乾いてしまえば元の状態に戻り、効果を継続させるためには、何度も作業を行う必要がある。スプリンクラー等を使っての散水などでは、電力が必要である。
【課題を解決するための手段】
【０００４】懸架用治具により懸架された貯水容器支持台上に、貯水容器を搭載するとともに、貯水容器支持台から布や合成繊維等の吸水性シートを吊り下げ、裁縫糸や毛糸等の吸水性を持つ通水具により貯水容器内の水等の液体を吸い上げ、その通水具を通して、吸水性シートとの間を連絡することで、吸水性シートに液体を滴下させ気化させることにより、道路やベランダ等の装置近辺の温度を下げることで、いわゆる打ち水効果を継続的に実現する装置を用いる。
【考案の効果】
【０００５】貯水容器に液体を補充することで、人手による打ち水作業や、電力を使用するスプリンクラー等の代りとして、継続的な冷却効果を実現できる。
【考案を実施するための最良の形態】
【０００６】貯水容器支持台上に貯水容器を搭載している関係上、貯水容器が落下しないような形状にする。【０００７】吸水性シートを水平方向に長くとり、貯水容器や通水具を複数にすることで更なる冷却効果を実現することが可能となる。【０００８】吸水性シートを垂直方向に長くとることで更なる冷却効果を実現することが可能となる。その場合、装置が高所に設置される可能性もあるので、貯水容器に給水するための、揚水ポンプなどと組合せるために、最低限の電力の使用は有り得る。【０００９】設置する場所により、滴下する水等の液体が通行する人等に掛からないように、液体を受ける構造を設けたりする必要が有る。【００１０】通水具の通水速度が速すぎると、貯水容器内の液体の減りが早くなり過ぎるので、適当な素材、形状を選択する。【００１１】装置を設置する環境によっては、台風などの強風時に対処する必要も考えられるので、簡単に撤去できる構造、若しくは、耐えられる構造にしておくことが良い。【００１２】吸水性シートは、防カビの観点から、洗濯を行いやすいように、取り外しが簡単な構造にしておく。
【図面の簡単な説明】
【００１３】
【図１】  本考案の内、フック状の治具を有する場合の構成を示した平面図である。
【図２】  本考案の内、フック状の治具を有する場合の構成を示した正面図である。
【図３】  本考案の内、フック状の治具を有する場合の構成を示した側面図である。
【図４】  本考案の内、ベルト状の治具を有する場合の構成を示した平面図である。
【図５】  本考案の内、ベルト状の治具を有する場合の構成を示した正面図である。
【図６】  本考案の内、ベルト状の治具を有する場合の構成を示した側面図である。
【図７】  本考案の内、フック状の治具を有する場合の設置状態を示した概観図である。
【図８】  本考案の内、ベルト状の治具を有する場合の設置状態を示した概観図である。
【符号の説明】
【００１４】１  貯水容器支持台
２  貯水容器
３  吸水性シート
４  通水具
５  懸架用フック状治具
６  懸架用ベルト状治具
７  懸架用フック状治具使用時の対象壁面状支持体
８  懸架用ベルト状治具使用時の対象柱状支持体
【図１】
0003151569.tif 000003
【図２】
0003151569.tif 000004
【図３】
0003151569.tif 000005
【図４】
0003151569.tif 000006
【図５】
0003151569.tif 000007
【図６】
0003151569.tif 000008
【図７】
0003151569.tif 000009
【図８】
0003151569.tif 000010